(57)【特許請求の範囲】
【請求項１】
通常状態で所定の操作がされることなくある移行時間が経過したことに応答して、前記通常状態から節電状態に移行する画像処理装置であって、
原稿の画像を読取り、読取った画像情報に基づいて画像データを生成するための画像読取手段と、
前記画像処理装置の各部に電力を供給するための電力供給手段と、
前記電力供給手段による電力の供給を制御するための電力供給制御手段と、
前記節電状態から前記通常状態への復帰のトリガとなる事象を検出するための復帰検出手段とを含み、
前記画像読取手段は、
原稿の画像を読取り、当該画像の画像情報を生成するための画像情報生成手段と、
画像データの生成処理に関する予め設定された調整データを記憶するための揮発性の記憶装置を持ち、画像データを生成するために、前記画像情報生成手段が生成した画像情報に対して、前記調整データに基づいて所定の処理を実行するための処理実行手段とを含み、
前記電力供給手段は、前記画像情報生成手段に電力を供給するための第１の供給手段と、前記記憶装置に電力を供給するための第２の供給手段とを含み、
前記電力供給制御手段は、
前記画像処理装置が前記節電状態に移行したことに応答して、前記第１の供給手段による電力の供給を停止するとともに、前記第２の供給手段による電力の供給を維持するように前記電力供給手段を制御するための第１の制御手段と、
前記復帰検出手段により前記復帰のトリガとなる事象が検出されたことに応答して、前記第２の供給手段による電力の供給を維持した状態で、前記第１の供給手段による電力の供給を行なうように前記電力供給手段を制御するための第２の制御手段と、
前記画像処理装置が前記節電状態に移行したことに応答して、前記第１の供給手段による電力の供給を停止するとともに、前記第２の供給手段による電力の供給をも停止するように前記電力供給手段を制御するための第３の制御手段と、
設定に基づいて、前記第１の制御手段による前記電力供給手段の制御を実行するか、前記第３の制御手段による前記電力供給手段の制御を実行するかを選択する選択手段とを含む、画像処理装置。
【請求項２】
前記画像情報生成手段は、原稿の画像を撮像して前記画像情報としてのアナログ画像信号を出力する撮像素子を含み、
前記処理実行手段は、前記撮像素子からのアナログ画像信号に対して所定の調整を行ない、当該調整が行なわれた画像信号を出力する信号調整回路を含み、
前記記憶装置は、前記信号調整回路の設定値を前記調整データとして記憶するための設定値記憶手段を含む、請求項１に記載の画像処理装置。
【請求項３】
前記処理実行手段はさらに、前記信号調整回路によって調整された画像信号に対してシェーディング処理を行なう処理回路を含み、
前記記憶装置はさらに、シェーディング処理を行なうためのシェーディング補正データを前記調整データとして記憶するための補正データ記憶手段を含む、請求項２に記載の画像処理装置。
【請求項４】
前記復帰検出手段は、前記画像処理装置の周囲の人の有無を検出する人感センサを含み、
前記第２の供給手段は、前記記憶装置に加えて、前記人感センサにも電力を供給する、請求項１〜請求項３のいずれかに記載の画像処理装置。
【請求項５】
前記復帰検出手段はさらに、前記画像読取手段への原稿のセットを検出する検出センサを含み、
前記第２の供給手段は、前記記憶装置及び前記人感センサに加えて、前記検出センサにも電力を供給する、請求項４に記載の画像処理装置。
【請求項６】
前記画像処理装置はさらに、前記画像読取手段が読取った画像データに基づいて、記録媒体に画像を形成するための画像形成手段を含み、
前記第１の供給手段は、前記画像情報生成手段に加えて、前記画像形成手段にも電力を供給する、請求項１〜請求項５のいずれかに記載の画像処理装置。
【請求項７】
前記画像処理装置はさらに、
当該画像処理装置に対する指示入力を受付けたか否かを判定するための判定手段と、
前記復帰検出手段が復帰のトリガとなる事象を検出し、且つ、前記判定手段による判定が肯定であることに応答して、前記画像形成手段を起動するための起動手段を含む、請求項６に記載の画像処理装置。
【発明の詳細な説明】
【技術分野】
【０００１】
本発明は、画像処理装置に関し、特に、節電状態から通常状態への復帰時間を短縮するための技術に関する。
【背景技術】
【０００２】
情報機器の１種として、多くの事業所（会社、事務所等）に画像処理装置（代表的にはコピー機）が導入されている。このような画像処理装置の１つである複合機（ＭＦＰ（Ｍｕｌｔｉｆｕｎｃｔｉｏｎ  Ｐｅｒｉｐｈｅｒａｌ））のように、コピーモード、ネットワーク対応のプリントモード、及びスキャナモードのような複数の動作モードを有するものも多くなってきている。
【０００３】
ＭＦＰ等の画像処理装置は、当該画像処理装置に対する操作がない状態で予め定めた時間が経過すると、通常、消費電力を低く抑える節電状態に移行するように制御される。節電状態においてユーザによる操作を検出すると、画像処理装置は、節電状態から通常状態に復帰するように制御される。通常状態への復帰によって、画像処理装置は、ユーザに選択された動作モードが実行可能な状態となる。節電状態から通常状態への復帰時間が長いとユーザの待ち時間が長くなるため、通常状態への復帰時間はできる限り短いのが好ましい。
【０００４】
後掲の特許文献１には、消費電力を低く抑える省電力状態から通常動作状態への復帰時間を短縮する技術が開示されている。この技術は、画像処理装置の１種である画像形成装置に適用されている。特許文献１の画像形成装置は、原稿の画像を読取る画像読取ユニット、読取った画像データに基づいて記録用紙に画像を形成する画像形成ユニット、画像形成ユニットに記録用紙を給紙する給紙部を含む。画像読取ユニット、画像形成ユニット、及び給紙部には、それぞれ、各ユニット部の設定状態を監視するセンサが設けられている。例えば、画像読取ユニットには、読取られた原稿を集積する原稿集積部の開閉を検知する開閉センサ、及び、読取る原稿を収容する原稿収容部における原稿の収容の有無を検知する原稿検知センサが設けられている。
【０００５】
特許文献１の画像形成装置は、省電力状態への移行時に、システム制御ユニットを除き、当該画像形成装置を構成する各ユニット部への電力の供給を停止する一方、上記センサへの電力の供給は継続する。センサに電力が供給されることによって、省電力状態であっても各ユニット部の設定状態の変化が監視されるため、通常動作状態への復帰時に、各ユニット部の設定状態の変化を認識する処理が不要となる。これにより、通常動作状態への復帰に要する時間が短縮される。
【先行技術文献】
【特許文献】
【０００６】
【特許文献１】特開２０１０−２６１２９号公報
【発明の概要】
【発明が解決しようとする課題】
【０００７】
画像処理装置では、電源オンからの起動時に画像読取ユニットの設定の調整が実行される。特許文献１の画像形成装置では、省電力状態への移行によって画像読取ユニットへの電力の供給が停止されるので、省電力状態から通常動作状態への復帰時に、再度、設定の調整が実行される。この設定の調整に時間を要するため、画像読取ユニットの復帰時間が長くなるという不都合がある。したがって、特許文献１に開示の技術では、復帰時間を効果的に短縮することができないという問題がある。
【０００８】
本発明は、上記のような課題を解決するためになされたものであり、本発明の１つの目的は、節電状態から通常状態への復帰時間を効果的に短縮することが可能な画像処理装置を提供することである。
【課題を解決するための手段】
【０００９】
本発明の一の局面に係る画像処理装置は、通常状態で所定の操作がされることなくある移行時間が経過したことに応答して、通常状態から節電状態に移行する画像処理装置である。この画像処理装置は、原稿の画像を読取り、読取った画像情報に基づいて画像データを生成するための画像読取手段と、画像処理装置の各部に電力を供給するための電力供給手段と、電力供給手段による電力の供給を制御するための電力供給制御手段と、節電状態から通常状態への復帰のトリガとなる事象を検出するための復帰検出手段とを含む。画像読取手段は、原稿の画像を読取り、当該画像の画像情報を生成するための画像情報生成手段と、画像データの生成処理に関する予め設定された調整データを記憶するための揮発性の記憶装置を持ち、画像データを生成するために、画像情報生成手段が生成した画像情報に対して、調整データに基づいて所定の処理を実行するための処理実行手段とを含む。電力供給手段は、画像情報生成手段に電力を供給するための第１の供給手段と、処理実行手段に電力を供給するための第２の供給手段とを含む。電力供給制御手段は、画像処理装置が節電状態に移行したことに応答して、第１の供給手段による電力の供給を停止するとともに、第２の供給手段による電力の供給を維持するように電力供給手段を制御するための第１の制御手段と、復帰検出手段により復帰のトリガとなる事象が検出されたことに応答して、第２の供給手段による電力の供給を維持した状態で、第１の供給手段による電力の供給を行なうように電力供給手段を制御するための第２の制御手段とを含む。
【００１０】
画像処理装置は、例えば電源オンからの起動時に画像読取手段の設定の調整を実行し、これによって生成した調整データを揮発性の記憶装置に記憶する。画像読取手段による画像の読取り時には、画像情報生成手段が原稿の画像を読取って当該画像の画像情報を生成し、処理実行手段が、記憶装置に記憶された調整データに基づいて、この画像情報に対して所定の処理を実行する。画像処理装置が節電状態に移行すると、電力供給制御手段は、第１の供給手段による画像情報生成手段への電力の供給を停止するとともに、第２の供給手段による処理実行手段への電力の供給を維持するように電力供給手段を制御する。電力供給制御手段はさらに、復帰検出手段により節電状態から通常状態への復帰のトリガとなる事象が検出されると、第２の供給手段による処理実行手段への電力の供給を維持した状態で、第１の供給手段による画像情報生成手段への電力の供給を行なうように電力供給手段を制御する。
【００１１】
画像処理装置が節電状態に移行した場合、第１の供給手段による画像情報生成手段への電力の供給は停止される一方、第２の供給手段による処理実行手段への電力の供給は維持される。調整データを記憶するための揮発性の記憶装置には節電状態でも電力が供給されるため、調整データを記憶装置に保持できる。原稿の画像を読取る際には、記憶装置に保持された調整データを用いることができるため、通常状態への復帰時に画像読取手段の設定の調整を再度実行することが不要となる。これにより、画像読取手段の復帰時間を効果的に短縮できる。さらに、節電状態では画像情報生成手段への電力の供給が停止されるため、その分、消費電力を低減できる。
【００１２】
好ましくは、画像情報生成手段は、原稿の画像を撮像して画像情報としてのアナログ画像信号を出力する撮像素子を含み、処理実行手段は、撮像素子からのアナログ画像信号に対して所定の調整を行ない、当該調整が行なわれた画像信号を出力する信号調整回路を含み、記憶装置は、信号調整回路の設定値を調整データとして記憶するための設定値記憶手段を含む。
【００１３】
より好ましくは、処理実行手段はさらに、信号調整回路によって調整された画像信号に対してシェーディング処理を行なう処理回路を含み、記憶装置はさらに、シェーディング処理を行なうためのシェーディング補正データを調整データとして記憶するための補正データ記憶手段を含む。
【００１４】
さらに好ましくは、復帰検出手段は、画像処理装置の周囲の人の有無を検出する人感センサを含み、第２の供給手段は、処理実行手段に加えて、人感センサにも電力を供給する。
【００１５】
さらに好ましくは、復帰検出手段はさらに、画像読取手段への原稿のセットを検出する検出センサを含み、第２の供給手段は、処理実行手段及び人感センサに加えて、検出センサにも電力を供給する。
【００１６】
さらに好ましくは、画像処理装置はさらに、画像読取手段が読取った画像データに基づいて、記録媒体に画像を形成するための画像形成手段を含み、第１の供給手段は、画像情報生成手段に加えて、画像形成手段にも電力を供給する。
【００１７】
さらに好ましくは、画像処理装置はさらに、当該画像処理装置に対する指示入力を受付けたか否かを判定するための判定手段と、復帰検出手段が復帰のトリガとなる事象を検出し、且つ、判定手段による判定が肯定であることに応答して、画像形成手段を起動するための起動手段を含む。
【発明の効果】
【００１８】
以上より、本発明によれば、節電状態から通常状態への復帰時間を効果的に短縮することが可能な画像処理装置を得ることができる。
【図面の簡単な説明】
【００１９】
【図１】本発明の第１の実施の形態に係る画像処理装置のハードウェア構成を示す制御ブロック図である。
【図２】画像読取ユニットのハードウェア構成を示す制御ブロック図である。
【図３】図１に示す画像処理装置の各部への電力の供給を示す図である。
【図４】画像読取ユニットの信号処理系の構成を示す図である。
【図５】図１に示す画像処理装置で実行されるプログラムの制御構造を示すフローチャートである。
【図６】図５のステップＳ１０４０の詳細なフローである。
【図７】図５のステップＳ１０９０の詳細なフローである。
【図８】本発明の第２の実施の形態に係る画像処理装置の各部への電力の供給を示す図である。
【図９】図８に示す画像処理装置で実行されるプログラムの制御構造を示すフローチャートである。
【図１０】本発明の第３の実施の形態に係る画像処理装置で実行されるプログラムの制御構造を示すフローチャートである。
【発明を実施するための形態】
【００２０】
以下の実施の形態では、同一の部品には同一の参照番号を付してある。それらの機能及び名称も同一である。したがって、それらについての詳細な説明は繰返さない。
【００２１】
（第１の実施の形態）
図１を参照して、本実施の形態に係る画像処理装置１００は、例えば、コピーモード、ネットワーク対応のプリントモード、及びスキャナモード等の複数の動作モードを備える複合機（ＭＦＰ）である。この画像処理装置１００は、レーザー光を露光に利用する、所謂レーザー方式（電子写真方式）の印刷機能を備える。しかし、他の形式の印刷機能を備えたものであってもよい。
【００２２】
画像処理装置１００は、原稿の画像を画像データとして読取る画像読取ユニット１３０を含む。画像処理装置１００は、画像読取ユニット１３０が読取った原稿の画像データ、又は、パーソナルコンピュータ（ＰＣ）等の情報処理装置（図示せず。）から伝送された画像データに基づいて、所定の記録用紙に対して多色又は単色の画像を形成する。
【００２３】
画像処理装置１００は、電源スイッチ（図示せず。）がオンされると起動を開始する。起動時には、後述する定着装置（図示せず。）のウォームアップ、及び画像読取ユニット１３０の設定の調整が実行される。画像読取ユニット１３０の設定の調整は、シェーディング設定（シェーディング補正データの生成）、及び後述するＡＦＥ（Ａｎａｌｏｇ  Ｆｒｏｎｔ  Ｅｎｄ）の設定の調整を含む。起動が終了すると、画像処理装置１００は通常の通電状態（以下「通常状態」と呼ぶ。）になる。通常状態は、印刷等の指示を受付けるまで待機している状態（Ｒｅａｄｙ状態）である。画像処理装置１００は、通常状態の時に指示を受付けると直ちに処理を実行する。なお、本実施の形態における通常状態とは、電源がオンの状態であって、少なくともユーザによって選択された動作モードが実行可能な状態を意味する。
【００２４】
通常状態で所定の操作（例えば操作パネル１２２上のキー操作等）がされることなくある移行時間が経過すると、消費電力を削減するために、画像処理装置１００は節電状態又は省エネ状態に移行するよう制御される。節電状態及び省エネ状態のいずれに移行するかは、画像処理装置１００において予め設定されている。本実施の形態において、節電状態とは、定着装置を含む一部の機能部への電力の供給を停止することで消費電力が低く抑えられた状態を意味する。省エネ状態とは、節電状態よりさらに多くの機能部への電力の供給を停止することで消費電力がさらに低く抑えられた状態を意味する。
【００２５】
画像処理装置１００はさらに、当該画像処理装置１００の周囲の人の有無を検出する後述する人感センサを含む。節電状態では人感センサに電力が供給されている。節電状態において、人感センサによって画像処理装置１００の周囲に人が居ることが検出されると、画像処理装置１００は、節電状態から通常状態に復帰するよう制御される。
【００２６】
ここで、画像読取ユニット１３０への電力の供給が停止されていると、復帰時に、画像読取ユニット１３０の設定の調整が再度実行されることになる。画像読取ユニット１３０の設定の調整には比較的長い時間を要する。復帰時に設定の調整が実行されると、画像読取ユニット１３０の復帰時間が長くなる。
【００２７】
本実施の形態に係る画像処理装置１００では、節電状態において、画像読取ユニット１３０の大部分には電力の供給が停止される一方、画像読取ユニット１３０における設定の調整値（調整データ）を保持している部分には電力が供給される。節電状態においても、設定の調整値が保持されるため、復帰時に、画像読取ユニット１３０の設定の調整が不要となる。これにより、消費電力の低減を図りつつ、画像読取ユニット１３０の復帰時間が短縮される。画像形成処理を伴わない、例えばスキャナモードがユーザによって選択された場合、画像処理装置１００は、画像読取ユニット１３０が通常状態に復帰した時点で原稿画像の読取処理を実行することが可能となる。
【００２８】
一方、通常状態から省エネ状態に移行した場合、省エネ状態ではさらに、人感センサ及び画像読取ユニット１３０への電力の供給が停止される。省エネ状態では、節電状態よりもさらに消費電力が削減されるものの、画像読取ユニット１３０における設定の調整値は保持されない。通常状態への復帰時には、画像読取ユニット１３０の設定の調整が再度実行される。そのため、省エネ状態に移行した場合は、節電状態に移行した場合に比べて、画像読取ユニット１３０の復帰に時間がかかる。すなわち、節電状態に移行した場合は、省エネ状態に移行した場合に比べて、高速で復帰する。
【００２９】
このように、本実施の形態に係る画像処理装置１００は、節電状態から通常状態に高速で復帰する「高速復帰モード」、及び省エネ状態から通常状態に低速で復帰する「低速復帰モード」の２種類の復帰モードを持つ。上記した節電状態又は省エネ状態への移行の設定は、高速復帰モード及び低速復帰モードのいずれかをユーザが選択することによって行なわれる。
【００３０】
［ハードウェア構成］
画像処理装置１００は、画像読取ユニット１３０に加えて、制御部１１０、操作ユニット１２０、画像形成ユニット１４０、センサ部１５０、電力供給部１６０、及びＮＩＣ（Ｎｅｔｗｏｒｋ  Ｉｎｔｅｒｆａｃｅ  Ｃａｒｄ）１７０を含む。
【００３１】
制御部１１０は、実質的にコンピュータであって、画像処理装置１００全体を制御するＣＰＵ（Ｃｅｎｔｒａｌ  Ｐｒｏｃｅｓｓｉｎｇ  Ｕｎｉｔ）１１２、プログラム等を記憶するためのＲＯＭ（Ｒｅａｄ−Ｏｎｌｙ  Ｍｅｍｏｒｙ）１１４、揮発性の記憶装置であるＲＡＭ（Ｒａｎｄｏｍ  Ａｃｃｅｓｓ  Ｍｅｍｏｒｙ）１１６、及び記憶装置１１８を含む。記憶装置１１８は、通電が遮断された場合にもデータを保持する不揮発性記憶装置であり、例えばハードディスクドライブ（ＨＤＤ）又はフラッシュメモリ等である。ＣＰＵ１１２には、ＢＵＳライン１８０が接続されており、このＢＵＳライン１８０には、ＲＯＭ１１４、ＲＡＭ１１６及び記憶装置１１８が電気的に接続される。
【００３２】
ＣＰＵ１１２は、操作ユニット１２０等からの指示に応じて各種コンピュータプログラムを実行することによって、画像処理装置１００の各部の動作及び情報処理装置（例えばＰＣ等）との通信等の所望の処理を実行する。上記の各種コンピュータプログラムは、予めＲＯＭ１１４又は記憶装置１１８に記憶されており、所望の処理の実行時において、当該ＲＯＭ１１４又は記憶装置１１８から読出されてＲＡＭ１１６に転送される。ＣＰＵ１１２は、ＣＰＵ１１２内の図示しないプログラムカウンタと呼ばれるレジスタに格納された値によって指定される、ＲＡＭ１１６内のアドレスからプログラムの命令を読出し、解釈する。ＣＰＵ１１２はまた、読出された命令によって指定されるアドレスから演算に必要なデータを読出し、そのデータに対し命令に対応する演算を実行する。実行の結果も、ＲＡＭ１１６、記憶装置１１８及びＣＰＵ１１２内のレジスタ等の、命令によって指定されるアドレスに格納される。
【００３３】
ＲＯＭ１１４又は記憶装置１１８には、画像処理装置１００の一般的な動作等を実現するためのコンピュータプログラムとともに、節電状態等への移行及び復帰の処理を実現するためのコンピュータプログラムが記憶される。このコンピュータプログラムは、画像処理装置１００の製造時にＲＯＭ１１４又は記憶装置１１８に書込まれる。なお、このコンピュータプログラムは、ＮＩＣ１７０を介して、情報処理装置等の外部機器から提供されてもよい。さらにこのコンピュータプログラムは、そのコンピュータプログラムが記録された、例えばＤＶＤ等の記憶媒体によって提供されてもよい。すなわち、例えばコンピュータプログラムの記録媒体としてのＤＶＤが、画像処理装置１００内に内蔵されるＤＶＤドライブ（図示せず。）に装着され、そのＤＶＤからコンピュータプログラムが読出されて記憶装置１１８にインストールされてもよい。記憶装置１１８は、他に、画像読取ユニット１３０で読取った画像データ等の各種データを記憶する。
【００３４】
ＢＵＳライン１８０には、さらに、操作ユニット１２０、画像読取ユニット１３０、画像形成ユニット１４０、センサ部１５０、電力供給部１６０、及びＮＩＣ１７０が電気的に接続される。
【００３５】
操作ユニット１２０はユーザによる操作を受付ける。操作ユニット１２０は、入出力インターフェイス（図示せず。）を介して、ＣＰＵ１１２と通信を行なう。この操作ユニット１２０は、操作パネル１２２を含む。操作パネル１２２は、液晶パネル等で構成された表示パネルと、表示パネルの上に配置され、タッチされた位置を検出するタッチパネルとを含む。表示パネルは、画像処理装置１００の状態及び各種処理の状態に関する情報等の各種情報をユーザに提供する。この操作パネル１２２は、ユーザに対して対話的な操作インターフェイス（ＵＩ）を提供する。この対話的な操作インターフェイスは、タッチパネルから画像処理装置１００全体の動作に対するユーザの指示を受付け、その指示の内容を表示パネルに表示するとともに、その指示に応じた制御信号を制御部１１０等に対して出力する。
【００３６】
画像読取ユニット１３０は、スキャナ部１３２、信号処理部１３４、及び画像処理部１３６を含む。図２を参照して、スキャナ部１３２は、光源２０２を含む第１走査ユニット（図示せず。）、反射ミラーを含む第２走査ユニット（図示せず。）、第１及び第２走査ユニットの駆動を制御する駆動制御部２０４、光学レンズ（図示せず。）及びＣＣＤ（Ｃｈａｒｇｅ−Ｃｏｕｐｌｅｄ  Ｄｅｖｉｃｅ）ラインセンサ２００を含む。光源２０２は、例えばＬＥＤ（Ｌｉｇｈｔ  Ｅｍｉｔｔｉｎｇ  Ｄｉｏｄｅ）発光素子を含む。第１走査ユニット及び第２走査ユニットは、モータ等の駆動源（図示せず。）によって駆動される。駆動制御部２０４はモータ等の駆動源を制御することによって、第１及び第２走査ユニットの駆動を制御する。第１走査ユニットは、副走査方向へと原稿サイズに応じた距離だけ一定速度Ｖで移動しながら、原稿載置台（図示せず。）上に載置された原稿の画像表面に対し光源２０２から光を照射することによって反射光像を得る。第２走査ユニットは、第１走査ユニットに追従して速度Ｖ／２で移動しつつ、得られる反射光像を反射ミラー及び光学レンズによってＣＣＤラインセンサ２００上に結像させる。ＣＣＤラインセンサ２００は、原稿の画像を撮像する撮像素子であり、結像した反射光像を順次光電変換して、アナログ画像信号として信号処理部１３４に対して出力する。
【００３７】
信号処理部１３４はＡＦＥ２１０を含む。ＡＦＥ２１０は、ＣＣＤラインセンサ２００から出力されたアナログ画像信号に対して所定の調整（信号処理）を行なう信号調整回路である。このＡＦＥ２１０は、ＣＣＤラインセンサ２００から出力されたアナログ画像信号に対して、ゲイン調整、デジタル画像信号への変換等の所定の調整処理を行ない、調整されたデジタル画像信号を画像処理部１３６に対して出力する。ＡＦＥ２１０は、揮発性のレジスタ（図示せず。）を含む。画像処理装置１００の起動時にはＡＦＥ２１０の設定の調整が実行され、その調整値（調整データ）が上記レジスタに記憶される。
【００３８】
画像処理部１３６は、スキャンＣＰＵ２２０、及びスキャンＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２２２を含む。スキャンＣＰＵ２２０は画像処理部１３６を制御する。スキャンＡＳＩＣ２２２は、ＡＦＥ２１０から出力されたデジタル画像信号に対して、シェーディング処理を行なう処理回路である。このスキャンＡＳＩＣ２２２は揮発性のメモリ２２４を含む。画像処理装置１００の起動時にはシェーディング設定が実行され、その際に生成されたシェーディング補正データ（調整データ）がメモリ２２４に記憶される。なお、スキャンＡＳＩＣ２２２は、シェーディング処理を含む各種の画像処理を行なうよう構成されていてもよい。これ以外に、画像処理部１３６は、シェーディング処理以外の各種の画像処理を実行する画像処理ＡＳＩＣ（図示せず。）をさらに含む構成であってもよい。
【００３９】
画像処理部１３６は、ＡＦＥ２１０から出力されたデジタル画像信号に対して、所定の画像処理を施すことにより原稿の画像データを生成する。印刷処理時には、画像読取ユニット１３０（画像処理部１３６）は、生成した画像データを画像形成ユニット１４０に対して出力する。
【００４０】
再び図１を参照して、画像形成ユニット１４０は、画像読取ユニット１３０が読取った原稿の画像データ、又はＰＣ等の情報処理装置から伝送された画像データに基づいて、記録用紙に画像を形成する画像形成部１４２（プリンタ部）、及び画像形成部１４２に記録用紙を給紙する給紙部１４４を含む。
【００４１】
画像形成部１４２は、画像データによって示される画像をカラー又は単色で記録用紙に印刷するものであって、例えば、感光体ドラム、帯電装置、レーザースキャンユニット（ＬＳＵ）、現像装置、転写装置、クリーニング装置、定着装置、及び除電装置等を備えている。画像形成部１４２には、例えば、搬送路が設けられており、給紙部１４４から給紙されてきた記録用紙が搬送路に沿って搬送される。
【００４２】
給紙部１４４は、記録用紙を収納する給紙トレイ（図示せず。）を含む。給紙部１４４は、給紙トレイに収納された記録用紙を１枚ずつ引出して記録用紙を画像形成部１４２の搬送路へと送り出す。画像形成部１４２の搬送路に沿って記録用紙が搬送されている途中で、記録用紙が感光体ドラムと転写装置との間を通過し、さらに定着装置を通過して、記録用紙に対する印刷が行なわれる。
【００４３】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく記録用紙に感光体ドラムの表面のトナー像を転写する。
【００４４】
定着装置は、記録用紙を加熱するための加熱ローラと、記録用紙を加圧するための加圧ローラとを含む。画像処理装置１００は、電源スイッチのオンによる起動時、又は通常状態への復帰時にウォームアップを開始する。このウォームアップによって、定着装置の定着温度が定着可能な温度まで昇温される。記録用紙が加熱ローラによって加熱され、且つ、加圧ローラによって加圧されることによって、記録用紙上に転写されたトナー像が記録用紙に定着される。定着装置から排出された（印刷された）記録用紙は排紙トレイに排出される。
【００４５】
センサ部１５０は、節電状態から通常状態への復帰のトリガとなる事象を検出する。このセンサ部１５０は上記した人感センサ（人感センサ１５２：図３参照）を含む。人感センサ１５２は、例えば焦電型の人感センサ（焦電センサ）である。人感センサ１５２は、画像処理装置１００の周囲の所定領域におけるユーザの有無を検出する。人感センサ１５２はさらに、画像処理装置１００の周囲（例えば前方）の所定領域にユーザが居ることを検出すると、節電状態からの復帰を指示する復帰信号をＣＰＵ１１２に送信する。
【００４６】
電力供給部１６０は、外部電源に接続される電源ユニットである。電力供給部１６０は、メイン電源１６２及びサブ電源１６４を含み、ＣＰＵ１１２の制御を受けて、画像処理装置１００を構成する各部に所定の電力を供給する。
【００４７】
ＮＩＣ１７０は、ネットワーク５０とのインターフェイスをとる。画像処理装置１００は、このＮＩＣ１７０を介して、ネットワーク５０上の情報処理装置（ＰＣ等）と、所定の通信プロトコルにしたがったデータ通信を行なうことができる。画像処理装置１００は、ＮＩＣ１７０を介して、ＰＣ等から印刷ジョブ等の各種処理の実行を命令する命令信号を受信できる。
【００４８】
［各機能部への電力供給］
図３を参照して、電力供給部１６０は、画像形成に必要なほとんどの電力を供給するメイン電源１６２、及び、節電状態又は省エネ状態を維持するための電力を供給するサブ電源１６４を含む。サブ電源１６４は、第１サブ電源１６６及び第２サブ電源１６８を含む。第１サブ電源１６６は、画像読取ユニット１３０の一部、メイン制御基板２３０の一部、操作パネル１２２（操作ユニット１２０）、及び人感センサ１５２等に電力を供給する電源部である。第２サブ電源１６８は、ＣＰＵ１１２が実装されるメイン制御基板２３０に電力を供給する電源部である。本実施の形態では、第１サブ電源１６６は、画像読取ユニット１３０の信号処理部１３４及び画像処理部１３６に対して電力を供給する。
【００４９】
ＣＰＵ１１２は、メインＣＰＵ１１２ａ及び節電ＣＰＵ１１２ｂを含む。メインＣＰＵ１１２ａ及び節電ＣＰＵ１１２ｂは上記メイン制御基板２３０にそれぞれ実装される。電力供給部１６０による電力の供給は、メインＣＰＵ１１２ａ及び節電ＣＰＵ１１２ｂが実装されたメイン制御基板２３０によって制御される。具体的には、メイン電源１６２及び第１サブ電源１６６による電力の供給は節電ＣＰＵ１１２ｂによって制御され。
【００５０】
画像処理装置１００において電源スイッチがオンされると、まず第２サブ電源１６８によって節電ＣＰＵ１１２ｂに電力が供給される。節電ＣＰＵ１１２ｂに電力が供給されて起動すると、節電ＣＰＵ１１２ｂはメインＣＰＵ１１２ａを起動する。第１サブ電源１６６は、節電ＣＰＵ１１２ｂからの命令によって起動し、画像読取ユニット１３０の一部、メイン制御基板２３０の一部、操作パネル１２２、及び人感センサ１５２等に電力を供給する。メイン電源１６２は、メイン制御基板２３０（節電ＣＰＵ１１２ｂ）からの命令によって起動し、画像形成ユニット１４０（プリンタ部）及び画像読取ユニット１３０を含む各ユニットに電力を供給する。起動が終了すると、画像処理装置１００は通常状態になる。通常状態では、メイン電源１６２、第１サブ電源１６６、及び第２サブ電源１６８によって画像処理装置１００を構成する各部に電力が供給される。
【００５１】
通常状態から節電状態に移行すると、電力供給部１６０は、メイン電源１６２による電力の供給を停止し、サブ電源１６４による電力の供給を維持するように、節電ＣＰＵ１１２ｂによって制御される。画像読取ユニット１３０の信号処理部１３４（ＡＦＥ２１０）及び画像処理部１３６（スキャンＣＰＵ２２０、スキャンＡＳＩＣ２２２）、並びに人感センサ１５２は、節電状態においても電力が供給された状態が維持される。これにより、節電状態に移行した場合でも、ＡＦＥ２１０のレジスタに記憶された調整値、及び、スキャンＡＳＩＣ２２２のメモリ２２４に記憶されたシェーディング補正データは保持される。人感センサ１５２によって、画像処理装置１００の周囲（例えば前方）の所定領域にユーザが居ることが検出されると、画像処理装置１００は通常状態への復帰を開始する。電力供給部１６０は、サブ電源１６４による電力の供給を維持した状態で、メイン電源１６２による電力の供給を行なうように、節電ＣＰＵ１１２ｂによって制御される。スキャナ部１３２を含む画像読取ユニット１３０の大部分、及び画像形成ユニット１４０にはメイン電源１６２によって電力が供給される。
【００５２】
通常状態から省エネ状態に移行すると、電力供給部１６０は、メイン電源１６２及び第１サブ電源１６６による電力の供給を停止するように、節電ＣＰＵ１１２ｂによって制御される。省エネ状態において、例えば省エネ復帰ボタン（図示せず。）がユーザによって押下されると、画像処理装置１００は通常状態への復帰を開始する。電力供給部１６０は、メイン電源１６２及び第１サブ電源１６６による電力の供給を行なうように、節電ＣＰＵ１１２ｂによって制御される。
【００５３】
節電ＣＰＵ１１２ｂはさらに、節電状態又は省エネ状態に移行すると、節電ＬＥＤ２３２に電力を供給して当該節電ＬＥＤ２３２を点灯させる。節電ＣＰＵ１１２ｂは、節電ＬＥＤ２３２を点灯させることで画像処理装置１００が節電状態又は省エネ状態に移行したことをユーザに通知する。
【００５４】
［信号処理系の構成］
図４を参照して、ＣＣＤラインセンサ２００から出力されたアナログ画像信号は、ＡＦＥ２１０に入力される。ＡＦＥ２１０は、入力されたアナログ画像信号をサンプリングするサンプリング回路２１２、サンプリングされたアナログ画像信号を増幅するゲインコントロールアンプ２１４、アナログ画像信号のレベルをオフセットするオフセット設定回路２１６、及びオフセットされたアナログ画像信号をデジタル画像信号に変換して出力するＡ／Ｄ変換器２１８を含む。
【００５５】
スキャンＡＳＩＣ２２２は、ＣＣＤラインセンサ２００、光源２０２、及びＡＦＥ２１０を制御する。スキャンＡＳＩＣ２２２はさらに、ＡＦＥ２１０から出力されたデジタル画像信号に対してシェーディング処理を実行する。
【００５６】
画像読取ユニット１３０においては、ＣＣＤラインセンサ２００の出力を的確にＡ／Ｄ変換するために、ＣＣＤラインセンサ２００で読取ったアナログ画像信号の白レベル及び黒レベルがＡ／Ｄ変換の入力レンジに合うように、ゲインコントロールアンプ２１４のゲイン、及びオフセット設定回路２１６のオフセットが予め調整される。調整されたゲイン及びオフセットの値（調整値）は、それぞれ、ゲインコントロールアンプ２１４及びオフセット設定回路２１６のレジスタに記憶される。
【００５７】
さらに、画像読取ユニット１３０においては、光学系の周辺減光、及び撮像素子（ＣＣＤラインセンサ２００）の感度の不均一性等によって、測定対象画像（原稿）の本来の輝度と測定された画像信号との間に不整合が生じる。この不整合を補正するために、シェーディング処理が実行される。例えば、測定された画像の周辺部が中心部に比べて暗い輝度ムラが生じる場合に、シェーディング処理により、画像全体が平均的な一様な明るさとなるように補正される。具体的には、スキャンＡＳＩＣ２２２は、全体が一様な輝度分布を有する画像（例えば白板等の白色基準部材）を測定した入力データを用いて、ＣＣＤラインセンサ２００の画素毎の変換特性を求め、求めた変換特性に基づいてシェーディング補正データを生成する。スキャンＡＳＩＣ２２２はさらに、生成したシェーディング補正データをメモリ２２４に記憶する。
【００５８】
原稿の画像データを読取る際には、ＡＦＥ２１０は、レジスタに記憶されたゲイン及びオフセットの値に基づいて、ＣＣＤラインセンサ２００から出力されたアナログ画像信号に対して、信号増幅処理、デジタル変換処理等の所定の調整処理を実行する。ＡＦＥ２１０は、Ａ／Ｄ変換器２１８で変換したデジタル画像信号をスキャンＡＳＩＣ２２２に対して出力する。スキャンＡＳＩＣ２２２は、メモリ２２４に記憶されたシェーディング補正データに基づいて、ＡＦＥ２１０から出力されたデジタル画像信号に対してシェーディング処理を行なう。スキャンＡＳＩＣ２２２は、シェーディング処理を行なうことによって画像データを生成して出力する。
【００５９】
［ソフトウェア構成］
図５を参照して、節電状態への移行及び復帰の処理を実行するために、画像処理装置１００で実行されるコンピュータプログラムの制御構造について説明する。このプログラムは、電源スイッチがオンされたことに応じて開始する。
【００６０】
このプログラムは、起動の開始に伴い、画像読取ユニット１３０におけるＡＦＥ２１０の調整の設定、及びシェーディング設定（シェーディング補正データの生成）を行なうステップＳ１０００と、ステップＳ１０００の後に実行され、通常状態（Ｒｅａｄｙ状態）で待機するステップＳ１０１０と、節電状態又は省エネ状態等に移行するための節電条件を満たすか否かを判定し、節電条件を満たすまで待機するステップＳ１０２０と、ステップＳ１０２０において、節電条件を満たすと判定された場合に実行され、高速復帰モードが設定されているか否かを判定し、判定結果に応じて制御の流れを分岐させるステップＳ１０３０と、ステップＳ１０３０において、高速復帰モードが設定されていると判定された場合に実行され、節電状態に移行するステップＳ１０４０とを含む。ステップＳ１０００では、ＡＦＥ２１０の調整の設定、及びシェーディング設定において生成された調整データ（ＡＦＥ２１０の調整値、及びシェーディング補正データ）が、それぞれ、ＡＦＥ２１０のレジスタ及びスキャンＡＳＩＣ２２２のメモリ２２４に記憶される。
【００６１】
図６は、図５のステップＳ１０４０の詳細なフローである。図６を参照して、このルーチンは、メイン電源１６２による電力の供給を停止するよう電力供給部１６０を制御するステップＳ１１００と、サブ電源１６４による電力の供給を維持するよう電力供給部１６０を制御するステップＳ１１１０とを含む。
【００６２】
再び図５を参照して、このプログラムは、ステップＳ１０４０の後に実行され、人感センサ１５２によるセンシングを開始するよう当該人感センサ１５２を制御するステップＳ１０５０と、ステップＳ１０５０の後に実行され、画像処理装置１００の周囲（例えば前方）の所定領域にユーザ（人）が居ることを人感センサ１５２が検出したか否かを判定し、ユーザ（人）が居ることが検出されるまで待機するステップＳ１０６０と、ステップＳ１０３０において、高速復帰モードが設定されていないと判定された場合、すなわち低速復帰モードが設定されていると判定された場合に実行され、省エネ状態に移行するステップＳ１０７０と、ステップＳ１０７０の後に実行され、省エネ復帰ボタンが押下されたか否かを判定し、省エネ復帰ボタンが押下されるまで待機するステップＳ１０８０とを含む。ステップＳ１０７０では、メイン電源１６２及び第１サブ電源１６６による電力の供給が停止される。
【００６３】
このプログラムはさらに、ステップＳ１０６０において、画像処理装置１００の周囲（例えば前方）の所定領域にユーザ（人）が居ることを人感センサ１５２が検出したと判定された場合、又は、省エネ復帰ボタンが押下されたと判定された場合に実行され、通常状態への復帰処理を開始するステップＳ１０９０とを含む。ステップＳ１０９０の処理が終了すると、制御はステップＳ１０１０に戻る。
【００６４】
図７は、図５のステップＳ１０９０の詳細なフローである。図７を参照して、このルーチンは、画像処理装置１００が節電状態であるか否かを判定し、判定結果に応じて制御の流れを分岐させるステップＳ１２００と、ステップＳ１２００において、節電状態であると判定された場合に実行され、メイン電源１６２による電力の供給を開始するよう電力供給部１６０を制御するステップＳ１２１０と、ステップＳ１２００において、節電状態ではない、すなわち省エネ状態であると判定された場合に実行され、メイン電源１６２及び第１サブ電源１６６による電力の供給を開始するよう電力供給部１６０を制御するステップＳ１２２０とを含む。ステップＳ１２１０又はステップＳ１２２０の処理が終了すると、このルーチンは終了する。
【００６５】
［動作］
本実施の形態に係る画像処理装置１００は以下のように動作する。以下の説明では、画像処理装置１００の動作の内、本発明に関連する部分のみを説明する。他の動作は従来の画像処理装置の動作と同じである。
【００６６】
ユーザによって電源スイッチがオンされると、画像処理装置１００は起動を開始する。画像処理装置１００は、ウォームアップ、及び画像読取ユニット１３０の設定の調整を実行する。画像処理装置１００は、画像読取ユニット１３０におけるＡＦＥ２１０の調整の設定、及びシェーディング設定を行ない、それらの調整値（調整データ）をＡＦＥ２１０のレジスタ及びスキャンＡＳＩＣ２２２のメモリ２２４に記憶する（図５に示すステップＳ１０００）。起動が終了すると、画像処理装置１００は通常状態になり、指示が入力されるまでこの状態で待機する（ステップＳ１０１０）。
【００６７】
画像処理装置１００は、節電条件が満たされたか否かを判定し、節電条件が満たされるまで通常状態で待機する。例えば、通常状態で所定の操作（例えば操作パネル１２２上のキー操作等）がされることなくある移行時間が経過すると、画像処理装置１００は節電条件が満たされたと判定する。節電条件が満たされたと判定すると（ステップＳ１０２０においてＹＥＳ）、画像処理装置１００は、高速復帰モードが設定されているか、低速復帰モードが設定されているかを判定する。高速復帰モードが設定されている場合（ステップＳ１０３０においてＹＥＳ）は、画像処理装置１００は節電状態に移行する（ステップＳ１０４０）。節電状態への移行時には、節電ＣＰＵ１１２ｂがメイン電源１６２による画像形成ユニット１４０及び画像読取ユニット１３０（スキャナ部１３２等）への電力の供給を停止するよう電力供給部１６０を制御するとともに（図６のステップＳ１１００）、サブ電源１６４によるメイン制御基板２３０、人感センサ１５２、操作パネル１２２、画像読取ユニット１３０（信号処理部１３４、画像処理部１３６）への電力の供給は維持するよう電力供給部１６０を制御する（ステップＳ１１１０）。
【００６８】
節電状態に移行すると、人感センサ１５２がセンシングを開始する（図５に示すステップＳ１０５０）。画像処理装置１００は、当該画像処理装置１００の周囲にユーザが居ることを人感センサ１５２が検出するまで待機する。画像処理装置１００の周囲にユーザが居ることを人感センサ１５２が検出すると（ステップＳ１０６０においてＹＥＳ）、人感センサ１５２はＣＰＵ１１２に対して復帰信号を送信する。ＣＰＵ１１２が人感センサ１５２からの復帰信号を受信すると、ＣＰＵ１１２の制御の下で、画像処理装置１００は通常状態への復帰（起動）を開始する（ステップＳ１０９０）。節電状態から通常状態に復帰する場合（図７に示すステップＳ１２００においてＹＥＳ）、節電ＣＰＵ１１２ｂが、メイン電源１６２による電力の供給を開始するよう電力供給部１６０を制御する（ステップＳ１２１０）。
【００６９】
画像処理装置１００において低速復帰モードが設定されている場合（図５に示すステップＳ１０３０においてＮＯ）は、画像処理装置１００は省エネ状態に移行する（ステップＳ１０７０）。省エネ状態への移行時には、節電ＣＰＵ１１２ｂが、メイン電源１６２による画像形成ユニット１４０及び画像読取ユニット１３０（スキャナ部１３２等）への電力の供給、並びに、第１サブ電源１６６による人感センサ１５２、操作パネル１２２、及び画像読取ユニット１３０（信号処理部１３４、画像処理部１３６）等への電力の供給を停止するよう電力供給部１６０を制御する。省エネ状態に移行すると、画像処理装置１００は、ユーザによって省エネ復帰ボタンが押下されるまで待機する。ユーザによって、省エネ復帰ボタンが押下されると（ステップＳ１０８０においてＹＥＳ）、画像処理装置１００は通常状態への復帰（起動）を開始する（ステップＳ１０９０）。省エネ状態から通常状態に復帰する場合（図７に示すステップＳ１２００においてＮＯ）、節電ＣＰＵ１１２ｂが、メイン電源１６２及び第１サブ電源１６６による電力の供給を開始するよう電力供給部１６０を制御する（ステップＳ１２２０）。
【００７０】
起動が終了して通常状態に復帰すると、画像処理装置１００は、指示が入力されるまでこの状態で待機する（図５に示すステップＳ１０１０）。
【００７１】
［本実施の形態の効果］
以上の説明から明らかなように、本実施の形態に係る画像処理装置１００を利用することにより、以下に述べる効果を奏する。
【００７２】
画像処理装置１００が節電状態に移行した場合、メイン電源１６２によるスキャナ部１３２への電力の供給は停止される一方、サブ電源１６４による信号処理部１３４（ＡＦＥ２１０）及び画像処理部１３６（スキャンＣＰＵ２２０、スキャンＡＳＩＣ２２２）への電力の供給は維持される。ＡＦＥ２１０の調整値を記憶するレジスタ、及びシェーディング補正データを記憶するスキャンＡＳＩＣ２２２の揮発性のメモリ２２４には、節電状態でも電力が供給されるため、これらのデータは消去されずに保持される。原稿の画像を読取る際には、ＡＦＥ２１０のレジスタに記憶された調整値、及びスキャンＡＳＩＣ２２２に記憶されたシェーディング補正データを用いることができるため、通常状態への復帰時に画像読取ユニット１３０の設定の調整を再度実行することが不要となる。これにより、画像読取ユニット１３０の復帰時間を効果的に短縮できる。さらに、節電状態では画像読取ユニット１３０のスキャナ部１３２への電力の供給が停止されるため、その分、消費電力を低減できる。
【００７３】
さらに人感センサ１５２に電力を供給する電源と画像読取ユニット１３０の一部（ＡＦＥ２１０、スキャンＡＳＩＣ２２２、及びスキャンＣＰＵ２２０）に電力を供給する電源とが同じ電源系統とされているため、人感センサ１５２からの検出信号に応答して、画像読取ユニット１３０を高速で起動できる。
【００７４】
（第２の実施の形態）
図８を参照して、本実施の形態に係る画像処理装置は、画像読取ユニット１３０に原稿がセットされたことを検出した場合にも、節電状態から通電状態に復帰する点において、第１の実施の形態に係る画像処理装置１００とは異なる。その他の点では、各画像処理装置は同一の構成である。
【００７５】
画像処理装置は、図１に示されるセンサ部１５０に代えて、センサ部２５０を含む。センサ部２５０は、人感センサ１５２に加えて、画像読取ユニット１３０に原稿がセットされたことを検出する検出センサ１５４を含む。検出センサ１５４は、人感センサ１５２と同様、第１サブ電源１６６によって電力が供給される。したがって、通常状態に移行した場合でも、検出センサ１５４によって、画像読取ユニット１３０に原稿がセットされたことが検出される。検出センサ１５４は、原稿載置台又は原稿自動搬送装置（図示せず。）に原稿がセットされたことを検出すると、節電状態からの復帰を指示する復帰信号をＣＰＵ１１２に送信する。ＣＰＵ１１２は、検出センサ１５４からの復帰信号を受信すると、画像処理装置を通常状態に復帰させる。
【００７６】
［ソフトウェア構成］
本実施の形態に係る画像処理装置では、図５に示されるプログラムに代えて、図９に示されるプログラムが実行される。図９のプログラムは、図５のプログラムにおいて、ステップＳ２０００をさらに含む。図９のステップＳ１０００〜ステップＳ１０９０における処理は、図５に示される各ステップにおける処理と同じである。以下、異なる部分について説明する。
【００７７】
図９を参照して、このプログラムは、ステップＳ１０６０において、画像処理装置の周囲（例えば前方）の所定領域にユーザ（人）が居ることを人感センサ１５２が検出していないと判定された場合に実行され、画像読取ユニット１３０への原稿のセットを検出センサ１５４が検出したか否かを判定し、判定結果に応じて制御の流れを分岐させるステップＳ２０００を含む。ステップＳ２０００において、原稿のセットが検出されたと判定された場合は、制御はステップＳ１０９０に進む。一方、ステップＳ２０００において、原稿のセットが検出されていないと判定された場合は、制御はステップＳ１０６０に戻る。
【００７８】
［効果］
節電状態において、例えば人感センサ１５２が反応しない方向から原稿がセットされた場合、検出センサ１５４がその原稿のセットを検出する。画像読取ユニット１３０への原稿のセットを検出センサ１５４が検出すると、画像処理装置は通常状態への復帰を開始する。そのため、画像処理装置を操作するユーザが人感センサ１５２によって検出されなかった場合でも、画像読取ユニット１３０に原稿をセットすることによって、画像処理装置を通常状態に復帰させることができる。これにより、ユーザの待ち時間を短縮できる。
【００７９】
その他の効果は、第１の実施の形態と同じである。
【００８０】
（第３の実施の形態）
本実施の形態に係る画像処理装置は、操作ユニット１２０（図１参照）に対する指示入力を受付けた場合にも、節電状態から通電状態に復帰する点において、第２の実施の形態に係る画像処理装置とは異なる。その他の点では、各画像処理装置は同一の構成である。
【００８１】
画像処理装置は、人感センサ１５２（図８参照）によるユーザの検出、検出センサ１５４（図８参照）による原稿のセットの検出、又は操作ユニット１２０に対する指示入力を受付けたことに応じて、節電状態から通常状態に復帰する。通常状態への復帰時には、メイン電源１６２及びサブ電源１６４から画像処理装置の各部に電力が供給される。
【００８２】
本実施の形態では、人感センサ１５２によってユーザが検出された場合、又は検出センサ１５４によって原稿のセットが検出された場合は、画像形成ユニット１４０（図１参照）に電力は供給されるものの、当該画像形成ユニット１４０の制御は開始されない。画像形成ユニット１４０は、操作ユニット１２０に対するユーザの指示入力を受付けることによって起動を開始する。画像形成ユニット１４０は、モータ、クラッチ、及びファン等の駆動部材（図示せず。）を含む。これらの駆動部材は、画像形成ユニット１４０の起動時にも駆動する。駆動部材が駆動すると動作音が発生する。画像形成ユニット１４０において不要な動作音が生じるのを抑制するために、画像形成ユニット１４０が利用される可能性が高い、操作ユニット１２０に対するユーザの指示入力を受付けた場合に、画像形成ユニット１４０は起動される。
【００８３】
［ソフトウェア構成］
本実施の形態に係る画像処理装置では、図９に示されるプログラムに代えて、図１０に示されるプログラムが実行される。図１０のプログラムは、図９のプログラムにおいて、ステップＳ３０００をさらに含む。図１０のステップＳ１０００〜ステップＳ１０９０、及びステップＳ２０００における処理は、図９に示される各ステップにおける処理と同じである。以下、異なる部分について説明する。
【００８４】
図１０を参照して、このプログラムは、ステップＳ２０００において、画像読取ユニット１３０への原稿のセットを検出センサ１５４が検出していないと判定された場合に実行され、操作ユニット１２０（操作パネル１２２）に対する操作がされた否か、すなわち、操作ユニット１２０に対する指示入力を受付けたか否かを判定し、判定結果に応じて制御の流れを分岐させるステップＳ３０００を含む。ステップＳ３０００において、操作ユニット１２０に対する指示入力を受付けたと判定された場合は、制御はステップＳ１０９０に進む。一方、ステップＳ３０００において、操作ユニット１２０に対する指示入力を受付けていないと判定された場合は、制御はステップＳ１０６０に戻る。
【００８５】
［効果］
画像処理装置の前をユーザが通り過ぎる等の種々の要因によって、人感センサ１５２に誤検知が生じることがある。こうした場合にも、画像形成ユニット１４０が起動を開始すると、不要な動作音が生じる。本実施の形態に係る画像処理装置では、操作ユニット１２０に対するユーザの指示入力を受付けた場合に、画像形成ユニット１４０が起動されるため、人感センサ１５２の誤検知等に起因する不要な動作音の発生を抑制できる。
【００８６】
その他の効果は、第２の実施の形態と同じである。
【００８７】
（変形例）
上記実施の形態では、画像処理装置の１種であるＭＦＰに本発明を適用した例について示したが、本発明はそのような実施の形態には限定されない。画像処理装置は、ＭＦＰ以外の例えば複写機、又はスキャナ装置等であってもよい。
【００８８】
上記実施の形態では、節電状態においても、画像読取ユニットのＡＦＥ、スキャンＡＳＩＣ、及びスキャンＣＰＵへの電力の供給を維持する例について示したが、本発明はそのような実施の形態には限定されない。節電状態における画像読取ユニットへの電力の供給は、ＡＦＥ、スキャンＡＳＩＣ、及びスキャンＣＰＵの内の１つ以上であればよい。例えば、節電状態において、ＡＦＥ、及びスキャンＡＳＩＣには電力の供給を維持し、スキャンＣＰＵには電力の供給を停止するようにしてもよい。
【００８９】
上記実施の形態では、画像処理装置の周囲の人の有無を検出する人感センサに焦電センサを用いた例について示したが、本発明はそのような実施の形態には限定されない。人感センサには焦電センサ以外の種々のセンサを用いることができる。例えば、焦電センサに代えて、超音波型の人感センサを用いることもできる。人感センサの設置数は１個であってもよいし、複数個であってもよい。画像処理装置に複数個の人感センサを設置する場合、複数個の人感センサは同じ種類の人感センサであってもよいし、異なる種類の人感センサを組合せてもよい。
【００９０】
上記実施の形態では、通常状態で所定の操作がされることなくある移行時間が経過することによって節電状態又は省エネ状態に移行する例について示したが、本発明はそのような実施の形態には限定されない。例えば節電ボタン等の節電状態又は省エネ状態に移行するためのボタンがユーザに押下されたことに応答して、節電状態又は省エネ状態に移行する構成であってもよい。また、これらを組合せた構成であってもよい。
【００９１】
さらに上記実施の形態において、画像読取ユニットが通常状態に復帰した際に、ユーザによって例えばスキャナモードが選択された場合、スキャナモードの動作に不要なユニット（例えば画像形成ユニット）への電力の供給を停止するようにしてもよい。
【００９２】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００９３】
１００                      画像処理装置
１１０                      制御部
１２０                      操作ユニット
１３０                      画像読取ユニット
１３２                      スキャナ部
１３４                      信号処理部
１３６                      画像処理部
１４０                      画像形成ユニット
１５２                      人感センサ
１５４                      検出センサ
１６０                      電力供給部
１６２                      メイン電源
１６４                      サブ電源
２００                      ＣＣＤラインセンサ
２０２                      光源
２０４                      駆動制御部
２１０                      ＡＦＥ
２２０                      スキャンＣＰＵ
２２２                      スキャンＡＳＩＣ
２２４                      メモリ
【図１】
0006537888.tif 000002
【図２】
0006537888.tif 000003
【図３】
0006537888.tif 000004
【図４】
0006537888.tif 000005
【図５】
0006537888.tif 000006
【図６】
0006537888.tif 000007
【図７】
0006537888.tif 000008
【図８】
0006537888.tif 000009
【図９】
0006537888.tif 000010
【図１０】
0006537888.tif 000011